(57)【特許請求の範囲】
【請求項１】
車軸を有するホイールを検出するためのレール結合車両の車軸計数方法であって、
・少なくとも１つのセンサーファイバー（ＳＦ、ＳＦ１、ＳＦ２）であって、それぞれがレール（Ｔ）に取り付けられた少なくとも２つのファイバー・ブラッグ・グレーティング（ＦＢＧ１、ＦＢＧ２）を備えるセンサーファイバー（ＳＦ、ＳＦ１、ＳＦ２）に、又は、少なくとも２つのセンサーファイバー（ＳＦ、ＳＦ１、ＳＦ２）であって、それぞれがレール（Ｔ）に取り付けられた少なくとも１つのファイバー・ブラッグ・グレーティング（ＦＢＧ１、ＦＢＧ２）を備えるセンサーファイバー（ＳＦ、ＳＦ１、ＳＦ２）に、光を導入する工程であって、各ファイバー・ブラッグ・グレーティング（ＦＢＧ１、ＦＢＧ２）は、ブラッグ波長（λ１、λ２）にあって半値全幅（ＦＷＨＭ）を有する反射ピーク（Ｐ１、Ｐ２）を有する反射スペクトルを有する、工程と、
・互いに離間した２つのファイバー・ブラッグ・グレーティング（ＦＢＧ１、ＦＢＧ２）によって反射された前記光を検出することによって、前記２つのファイバー・ブラッグ・グレーティング（ＦＢＧ１、ＦＢＧ２）それぞれについて、前記レールの２つのせん断応力信号を生成する工程と、
・せん断応力差信号を前記レールの２つのせん断応力信号から生成する工程と、
・前記せん断応力差信号が所定の上限値（Ｇ）を超える場合や所定の下限値（Ｇ）を下回る場合に、信号処理装置内でホイール検出信号を生成することによって、ホイールを検出する工程と
を含むレール結合車両の車軸計数方法。
【請求項２】
並べて配置され、異なるブラッグ波長（λ１、λ２）を有する２つのファイバー・ブラッグ・グレーティング（ＦＢＧ１、ＦＢＧ２）をそれぞれ有するセンサーファイバー（ＳＦ）を、前記レールの方向において互いに離間した２つのセンサー位置（ＳＳ１、ＳＳ２）で使用し、
前記せん断応力差信号は、前記センサーファイバー（ＳＦ）で反射された光出力の時間的強度プロファイルを、光電子部品（ＯＥＣ）を用いて、前記光電子部品（ＯＥＣ）の波長フィルターの２つのフィルターエッジ（Ｋ１、Ｋ２）でフィルターにかけることによって、信号処理装置（ＳＶ）内で前記光電子部品（ＯＥＣ）によって光学的に生成され、前記フィルターエッジ（Ｋ１、Ｋ２）は、それぞれ前記ファイバー・ブラッグ・グレーティング（ＦＢＧ１、ＦＢＧ２）のブラッグ波長（λ１、λ２）のうちの１つの範囲にあり、異なる算術符号を有する勾配を有し、
前記フィルターにかけられた強度プロファイルを差信号として検出し、
信号処理装置内で前記差信号を処理することによって、ホイール検出信号を生成する
ことを特徴とする請求項１に記載の車軸計数方法。
【請求項３】
前記２つのファイバー・ブラッグ・グレーティング（ＦＢＧ１、ＦＢＧ２）の反射ピーク（Ｐ１、Ｐ２）の半値全幅の差が０．５ｎｍよりも小さく、前記グレーティングの反射率（Ｒ）の差が２０％よりも小さいことを特徴とする請求項２に記載の車軸計数方法。
【請求項４】
前記センサーファイバー（ＳＦ）において反射された前記光出力の時間的強度プロファイルから基準信号を検出し、前記基準信号は前記光電子部品（ＯＥＣ）によってフィルターにかけられず、前記差信号は前記基準信号と比較されることを特徴とする請求項２に記載の車軸計数方法。
【請求項５】
異なるブラッグ波長（λ１、λ２）を有する並べて配置された２つのファイバー・ブラッグ・グレーティング（ＦＢＧ１、ＦＢＧ２）を有するセンサーファイバー（ＳＦ）を、前記レールの方向において互いに離間した２つのセンサー位置（ＳＳ１、ＳＳ２）で使用し、
無負荷状態から負荷状態への移行中における前記２つのファイバー・ブラッグ・グレーティング（ＦＢＧ１、ＦＢＧ２）の反射ピーク（Ｐ１、Ｐ２）のスペクトルの重なりによって、前記せん断応力差信号を光学的に生成する
ことを特徴とする請求項１に記載の車軸計数方法。
【請求項６】
前記反射ピークは前記負荷状態で重なることを特徴とする請求項５に記載の車軸計数方法。
【請求項７】
１つのファイバー・ブラッグ・グレーティング（ＦＢＧ１、ＦＢＧ２）をそれぞれ有する２つのセンサーファイバー（ＳＦ１、ＳＦ２）を使用し、異なるセンサーファイバー（ＳＦ１、ＳＦ２）の前記ファイバー・ブラッグ・グレーティング（ＦＢＧ１、ＦＢＧ２）は、前記レールの方向において互いに離間したセンサー位置（ＳＳ１、ＳＳ２）に配置され、
各センサーファイバー（ＳＦ１、ＳＦ２）に関し、前記センサーファイバー（ＳＦ１、ＳＦ２）において前記ファイバー・ブラッグ・グレーティング（ＦＢＧ１、ＦＢＧ２）によって反射された光出力の時間的強度プロファイルについてのフィルターにかけられた信号を、光電子部品（ＯＥＣ）の波長フィルターの各フィルターエッジ（Ｋ１、Ｋ２）でフィルターにかけることによって、信号処理装置（ＳＶ）内でせん断応力差信号として生成し、
前記２つのファイバー・ブラッグ・グレーティング（ＦＢＧ１、ＦＢＧ２）の前記せん断応力差信号を、マイクロコントローラ（ＭＣ）を用いて電子的に生成する
ことを特徴とする請求項１に記載の車軸計数方法。
【請求項８】
前記センサーファイバー（ＳＦ）において反射された前記光出力の時間的強度プロファイルから基準信号を検出し、前記基準信号は前記光電子部品（ＯＥＣ）によってフィルターにかけられず、前記せん断応力信号は、フィルターにかけられた信号の基準信号に対する比率から求められることを特徴とする請求項７に記載の車軸計数方法。
【請求項９】
前記基準信号が所定の第３制限値を下回ると、故障であると特定されることを特徴とする請求項８に記載の車軸計数方法。
【請求項１０】
光源（Ｌ）と、
少なくとも１つの計数部（ＺＰ）とを備え、各計数部（ＺＰ）はレール（Ｔ）に取り付ける２つのレール接触部（ＳＫ１、ＳＫ２）を備え、各レール接触部（ＳＫ１、ＳＫ２）は、
−第１ブラッグ波長（λ１）を有する第１ファイバー・ブラッグ・グレーティング（ＦＢＧ１）と、第２ブラッグ波長（λ２）を有する第２ファイバー・ブラッグ・グレーティング（ＦＢＧ２）とを備えたセンサーファイバー（ＳＦ）であって、前記ファイバー・ブラッグ・グレーティング（ＦＢＧ１、ＦＢＧ２）はニュートラルファイバー（ＮＦ）に対して斜めに前記レール（Ｔ）に取り付けられるように設計された、センサーファイバー（ＳＦ）と、
−センサーファイバー（ＳＦ）の前記２つのファイバー・ブラッグ・グレーティング（ＦＢＧ１、ＦＢＧ２）によって反射された前記光出力の光学サブトラクションを実行する光電子部品（ＯＥＣ）を有する信号処理装置（ＳＶ）であって、前記光電子部品（ＯＥＣ）は、２つのフィルターエッジ（Ｋ１、Ｋ２）を有する波長依存フィルター（Ｆ）を備え、前記フィルターエッジ（Ｋ１、Ｋ２）はそれぞれ、前記ファイバー・ブラッグ・グレーティング（ＦＢＧ１、ＦＢＧ２）のブラッグ波長（λ１、λ２）のうちの１つの範囲にあって異なる算術符号を有する勾配を有する、信号処理装置（ＳＶ）と
を備える請求項２に記載の方法を実行するための車軸計数装置。
【請求項１１】
前記フィルターエッジ（Ｋ１、Ｋ２）の勾配の絶対値は同じであることを特徴とする請求項１０に記載の車軸計数装置。
【請求項１２】
計数部（ＺＰ）の前記２つのレール接触部（ＳＫ１、ＳＫ２）の前記ファイバー・ブラッグ・グレーティング（ＦＢＧ１、ＦＢＧ２）は、共通のセンサーファイバー（ＳＦ）内に配置されることを特徴とする請求項１０又は１１に記載の車軸計数装置。
【請求項１３】
光源（Ｌ）と、
少なくとも１つの計数部（ＺＰ）とを備え、各計数部（ＺＰ）はレール（Ｔ）に取り付ける２つのレール接触部（ＳＫ１、ＳＫ２）を備え、各レール接触部（ＳＫ１、ＳＫ２）は、
・互いに離間した２つのセンサー位置（ＳＳ１、ＳＳ２）において、並べて配置された２つのファイバー・ブラッグ・グレーティング（ＦＢＧ１、ＦＢＧ２）を備えるセンサーファイバー（ＳＦ）であって、
前記ファイバー・ブラッグ・グレーティング（ＦＢＧ１、ＦＢＧ２）はニュートラルファイバー（ＮＦ）に対して斜めに前記レール（Ｔ）に取り付けられるように設計され、前記２つのファイバー・ブラッグ・グレーティング（ＦＢＧ１、ＦＢＧ２）のブラッグ波長（λ１、λ２）と、前記２つのセンサー位置（ＳＳ１、ＳＳ２）間の距離とは、前記レール（Ｔ）が前記２つのセンサー位置（ＳＳ１、ＳＳ２）間において所定の負荷を受けた時に前記２つのファイバー・ブラッグ・グレーティング（ＦＢＧ１、ＦＢＧ２）の反射ピーク（Ｐ１、Ｐ２）が重なるように選択される、センサーファイバー（ＳＦ）と、
・前記ファイバー・ブラッグ・グレーティングによって反射された前記光を検出し、次いで処理する信号処理装置（ＳＶ）とを備える
請求項４に記載の方法を実行するための車軸計数装置。
【請求項１４】
前記２つのファイバー・ブラッグ・グレーティング（ＦＢＧ１、ＦＢＧ２）の反射ピーク（Ｐ１、Ｐ２）の半値全幅（ＦＷＨＭ）は１〜２桁異なることを特徴とする請求項１３に記載の車軸計数装置。
【請求項１５】
前記２つのファイバー・ブラッグ・グレーティング（ＦＢＧ１、ＦＢＧ２）のブラッグ波長（λ１、λ２）の差が５ｎｍ以下であり、一方のファイバー・ブラッグ・グレーティング（ＦＢＧ１）の半値全幅（ＦＷＨＭ）が少なくとも０．０５ｎｍであり、他方のファイバー・ブラッグ・グレーティング（ＦＢＧ２）の半値全幅が最大でも５ｎｍであることを特徴とする請求項１３又は１４に記載の車軸計数装置。
【請求項１６】
光源（Ｌ）を備え、
各計数部（ＺＰ）はレール（Ｔ）に取り付ける２つのレール接触部（ＳＫ１、ＳＫ２）を備え、各レール接触部（ＳＫ１、ＳＫ２）は、
−ブラッグ波長（λ１、λ２）を有するファイバー・ブラッグ・グレーティング（ＦＢＧ１、ＦＢＧ２）を備えたセンサーファイバー（ＳＦ１、ＳＦ２）であって、前記ファイバー・ブラッグ・グレーティング（ＦＢＧ１、ＦＢＧ２）はニュートラルファイバー（ＮＦ）に対して斜めに前記レール（Ｔ）に取り付けられるように設計された、センサーファイバー（ＳＦ１、ＳＦ２）と、
−せん断応力信号を生成する信号処理装置（ＳＶ）であって、フィルターエッジ（Ｋ）を有する光電子部品（ＯＥＣ）を備える信号処理装置（ＳＶ）とを備え、
前記信号処理装置（ＳＶ）が発した前記せん断応力信号の差信号を生成するマイクロコントローラ（ＭＣ）を備える請求項７に記載の方法を実行するための車軸計数装置。
【請求項１７】
前記ファイバー・ブラッグ・グレーティング（ＦＢＧ１、ＦＢＧ２）は、前記ニュートラルファイバー（ＮＦ）に対して±３０°から±６０°、特に±４５°の角度で互いに平行に前記レール（Ｔ）に取り付けられることを特徴とする請求項１０乃至１６のいずれか１項に記載の車軸計数装置。
【請求項１８】
前記ファイバー・ブラッグ・グレーティング（ＦＢＧ１、ＦＢＧ２）は前記レール（Ｔ）の前記ニュートラルファイバー（ＮＦ）と交差することを特徴とする請求項１０乃至１７のいずれか１項に記載の車軸計数装置。
【請求項１９】
前記ファイバー・ブラッグ・グレーティング（ＦＢＧ１、ＦＢＧ２）は、前記レール（Ｔ）の熱膨張を補償するためのコンバータ構造を備えることを特徴とする請求項１０乃至１８のいずれか１項に記載の車軸計数装置。
【請求項２０】
前記ファイバー・ブラッグ・グレーティング（ＦＢＧ１、ＦＢＧ２）は、予め張力が加わった状態で前記レール（Ｔ）に固定されることを特徴とする請求項１０乃至１９のいずれか１項に記載の車軸計数装置。
【請求項２１】
前記ファイバー・ブラッグ・グレーティング（ＦＢＧ１、ＦＢＧ２）を前記レール（Ｔ）に取り付ける際に予め加える張力を調節するために、トリミング装置を設けることを特徴とする請求項２０に記載の車軸計数装置。
【請求項２２】
前記信号処理装置は光ファイバー・ビーム・スプリッタ（ＳＴ）を備えることを特徴とする請求項１０乃至２１のいずれか１項に記載の車軸計数装置。
【発明の詳細な説明】
【技術分野】
【０００１】
本発明は、車軸を有するホイールを検出するためのレール結合車両の車軸計数方法に関し、レールに取り付けられた少なくとも１つのファイバー・ブラッグ・グレーティングを備えた少なくとも１つのセンサーファイバーであって、各ファイバー・ブラッグ・グレーティングは、ブラッグ波長にあって半値全幅を有する反射ピークを有する反射スペクトル（波長に応じた、ファイバー・ブラッグ・グレーティングによって反射される光出力の強度プロファイル）を有するセンサーファイバーに光を導入し、互いに離間した２つのファイバー・ブラッグ・グレーティングによって反射された光を検出することを含む、レール結合車両の車軸計数方法に関する。
【背景技術】
【０００２】
このような方法は、未公開の特許文献１から公知である。
【０００３】
公知の車軸計数システムにおいては、計数部を通り過ぎる車軸が誘導によって検出されることが知られている。上記システムの問題は、電磁場、例えば列車に取り付けられた空調装置が、干渉や数え間違いを引き起こす場合があることである。
【０００４】
特許文献２において、線路に取り付けられたセンサーファイバーを使用して車軸を計数する鉄道監視システムが記載されている。光ファイバー（センサーファイバー）に光を導入することで、光がファイバー・ブラッグ・グレーティングに発せられ、ブラッグ波長付近のフィルター帯域幅内の波長が反射される。ブラッグ波長は一般に、ｎｅｆｆを有効屈折率、Λをファイバー・ブラッグ・グレーティングの格子周期とすると、λＢ＝ｎｅｆｆ・２Λ＝ｎｅｆｆ・λで定義される。力が作用することにより、センサーファイバーと、したがってファイバー・ブラッグ・グレーティングとが伸張され、ファイバー・ブラッグ・グレーティングの伸張に応じて異なる波長の光が反射されて評価分析装置に伝送されるように、ファイバー・ブラッグ・グレーティングの反射と伝送波長が変化する。個々のファイバー・ブラッグ・グレーティングは、互いに２．５ｍ離れたところに取り付けられる。個々のファイバー・ブラッグ・グレーティングは異なるブラッグ波長を有し、ブラッグ波長の差は、負荷に起因する、対応するファイバー・ブラッグ・グレーティングのブラッグ波長の変化よりも大きくなければならない。
【０００５】
未公開の特許文献１において、レールに作用する機械的変量を、光ファイバーセンサーを用いて測定するレール測定システムが記載されている。この場合に使用されるファイバー・ブラッグ・グレーティングは、ニュートラルファイバーに対して±３０°から±６０°、特に±４５°の角度でレールに取り付けられる。これにより、光ファイバーセンサー装置によって、正又は負の伸張につながり、前記ニュートラルファイバーと平行に延びないせん断ひずみが検出されるという利点がもたらされる。
【０００６】
この公知の装置の欠点の１つは、全ての車軸を確実に検出するには感度が不十分であることであり、すなわち、せん断応力の測定から発生する信号が、閾値評価を実行するのに適していないので、列車に必要な安全完全性レベル（ＳＩＬ４）が確保されないことを意味する。
【先行技術文献】
【特許文献】
【０００７】
【特許文献１】独国特許出願第１０２０１４１００６５４．４号明細書
【特許文献２】国際公開第２００５／０９３９７１（Ａ１）号パンフレット
【発明の概要】
【発明が解決しようとする課題】
【０００８】
本発明の目的は、一方で、干渉の影響、特に電磁干渉に関する影響をあまり受けず、他方で、必要な安全完全性レベルを満たすのに十分な感度を有する車軸計数方法を提案することである。
【課題を解決するための手段】
【０００９】
この目的は、以下の方法工程を設ける本発明によって達成される。
・せん断応力差信号を生成する。
・前記せん断応力差信号が所定の上限値を超える場合や所定の下限値を下回る場合に、信号処理装置内でホイール信号を生成する。
【００１０】
本発明によると、せん断応力差信号、すなわち、互いに離間した２つのセンサー位置における２つのせん断応力の差の時間的変化を推定できる信号が生成される。せん断応力差信号は、その絶対値に関して、せん断応力の算術符号の変化の範囲において非常に大きくなり（すなわち、ホイールによるレールへの力の放出が前記２つのファイバー・ブラッグ・グレーティングのちょうど間で生じた場合）、そのためホイールを簡単に検出することができる。せん断応力信号、すなわち、あるセンサー位置で起こるせん断応力を推定できる信号は、例えば、前記センサー位置に取り付けられた前記ファイバー・ブラッグ・グレーティングによって反射された光の検出結果として受信することができ、前記ファイバー・ブラッグ・グレーティングは、前記ニュートラルファイバーに対して斜めに、具体的には±４５°又は±９０°の角度で配置される。せん断応力差信号は、前記ファイバー・ブラッグ・グレーティングのブラッグ波長の波長の変化の時間的プロファイルの差を検出し確定することによって生成され、波長の変化は、前記ファイバー・ブラッグ・グレーティングの反射光の強度の変化を検出することによって求められる。これは種々の方法で実現でき、種々の変型例を参照して以下に詳細に説明する。全ての変型例の場合において、前記センサーファイバーで反射された光出力の時間的強度プロファイルは、ファイバーに結合された１つ以上のフォトダイオードを用いて検出されるのが好ましい。
【００１１】
好ましい変型例
本発明による車軸計数方法（ＯＥＣコンセプト）の特に有利な変型例は、並べて（ｉｎ  ａ  ｒｏｗ）配置され、異なるブラッグ波長を有する２つのファイバー・ブラッグ・グレーティングをそれぞれ有するセンサーファイバーを、前記レールの方向において互いに離間した２つのセンサー位置で使用し、前記せん断応力差信号は、前記センサーファイバーで反射された光出力の時間的強度プロファイルが光電子部品によって検出され、前記光電子部品の波長フィルターの２つのフィルターエッジでフィルターにかけられることによって、信号処理装置内で前記光電子部品によって光学的に生成され、前記フィルターエッジは、それぞれ前記ファイバー・ブラッグ・グレーティングのブラッグ波長のうちの１つの範囲にあり、異なる算術符号を有する勾配を有し、前記フィルターにかけられた強度プロファイルを前記差信号として検出することを特徴とする。前記差信号を前記信号処理装置内で処理することによって、（デジタル）ホイール信号が生成される。
【００１２】
ＯＥＣコンセプトの場合、反射光出力の測定及び信号の変換に、光電子部品（ＯＥチップ）が使用される。センサー位置への負荷とそれに伴うせん断応力によって、ファイバー・ブラッグ・グレーティングのブラッグ波長はシフトする。種々のファイバー・ブラッグ・グレーティングから発生する反射光出力の一部は、様々なフィルターエッジでフィルターにかけられる。ブラッグ波長の変化は、せん断応力の発生の基準となる。せん断応力信号の光学的差は、いずれの場合においても光電子部品の１つのフィルターエッジに沿った、種々のファイバー・ブラッグ・グレーティングから生じた前記２つのファイバー・ブラッグ・グレーティングの反射光出力（２つのファイバー・ブラッグ・グレーティングによって反射された光の全スペクトル）の一部がシフトすることで確立され、前記フィルターエッジは異なる算術符号の勾配を有する。このように、前記２つのセンサー素子の反射光出力の一部は様々な程度にフィルターにかけられる。前記ブラッグ波長と前記フィルターエッジを、想定される負荷時に、前記ファイバー・ブラッグ・グレーティングの反射ピークがいずれの場合においても他のフィルターエッジ内にシフトしないように、互いに適合させるのが好ましい。このように、前記２つのセンサー位置におけるせん断応力の差が非常に大きくなる時、最小値と最大値（算術符号は、前記ニュートラルファイバーに対する前記ファイバー・ブラッグ・グレーティングの配列方法によって決まる前記ニュートラルファイバーに対する前記ファイバー・ブラッグ・グレーティングの角度方向（±４５°）によって決まる）が反射光出力のプロファイルに出現する。これは比較器によってデジタル化することができる。
【００１３】
変化が小さい場合に全出力を一定にするために、前記ファイバー・ブラッグ・グレーティングのスペクトルの半値全幅（ＦＷＨＭ）とその反射率（Ｒ）は近似しているのが有利である。したがって、特に有利な変型例において、前記２つのファイバー・ブラッグ・グレーティングの反射ピークの半値全幅の差は０．５ｎｍよりも小さく、前記グレーティングの反射率の差は２０％よりも小さい。これとは別に、フィルターエッジにおける動作点（好ましくは中央位置）からのずれは小さくすべきであり、一般的には１ｎｍよりも小さくすべきである。さもなければ、最小出力の前後にアンダーシュートやオーバーシュートが発生することがあり、その結果、ごくわずかに検出可能な負荷が、制限される。例えば、以下の値を有するファイバー・ブラッグ・グレーティングを使用して、レール上の列車の車軸を検出ことができる：λ１＝１５４１．９ｎｍ、Ｒ１＝４５％、ＦＷＨＭ１＝５５０ｐｍ；λ２＝１５５０．１ｎｍ、Ｒ＝５５％、ＦＷＨＭ＝６５０ｐｍ。
【００１４】
前記センサーファイバーにおいて反射された光出力の時間的強度プロファイルから基準信号を検出し、前記基準信号は前記光電子部品によってフィルターにかけられず、前記差信号は前記基準信号と比較されるのが好ましい。
【００１５】
本発明による方法の他の変型例（ＲＲコンセプト）において、異なるブラッグ波長を有する並べて（ｉｎ  ａ  ｒｏｗ）配置された２つのファイバー・ブラッグ・グレーティングを有するセンサーファイバーを、前記レールの方向において互いに離間した２つのセンサー位置で使用し、無負荷状態から負荷状態への移行中における前記２つのファイバー・ブラッグ・グレーティングの反射ピークのスペクトルの重なりによって、前記せん断応力差信号が光学的に生成される。前記差信号を前記信号処理装置内で処理することによって、（デジタル）ホイール信号が生成される。
【００１６】
前記ブラッグ波長のシフトは、いずれの場合もセンサー位置で発生するせん断応力の基準となる。前記反射ピークの重なりの程度は、せん断応力差の基準となる。
【００１７】
前記反射ピークの重なりは、負荷状態で起こるのが好ましい。この変型例において、前記２つのファイバー・ブラッグ・グレーティングのブラッグ波長は、負荷状態において、１つのレール接触部の前記２つのファイバー・ブラッグ・グレーティングの反射ピークが重なるように選択される。前記反射ピークが多く重なるほど、反射される光は少なくなる。そのため、前記レールの負荷は最小強度として検出される。したがって、この変型例において、前記レールに負荷がかかると、前記反射ピークが重なった結果、せん断応力差信号が生成される。この目的のために、本発明によると、前記ファイバー・ブラッグ・グレーティングのブラッグ波長の間隔は、想定される質量を有する負荷の場合、前記反射ピークの認知できる重なり、好ましくは完全な重なりが起こるように選択される。しかしながら、無負荷状態において前記反射ピークが重なり、負荷がかかっている間は互いにシフトして離れるように、前記間隔と半値全幅を選択することも可能である。この場合、負荷がかかっている間は最大強度が測定される。
【００１８】
このＲＲコンセプトは、アダプタボードにおける信号処理の複雑度が低いことを特徴とする。
【００１９】
本発明による車軸計数方法の第３の変型例（ＯＥ２コンセプト）において、１つのファイバー・ブラッグ・グレーティングをそれぞれ有する２つのセンサーファイバーを使用し、異なるセンサーファイバーの前記ファイバー・ブラッグ・グレーティングは、前記レールの方向において互いに離間したセンサー位置に配置される。本発明によると、各センサーファイバーに関し、前記ファイバー・ブラッグ・グレーティングによって反射された光出力の時間的強度プロファイルのフィルターにかけられた信号は、光電子部品の波長フィルターの各フィルターエッジでフィルターにかけることによって信号処理装置内で生成され、前記２つのファイバー・ブラッグ・グレーティングのせん断応力差信号は、マイクロコントローラを用いて電子的に生成される。前記ファイバー・ブラッグ・グレーティングによって反射され、フィルターにかけられていない光、もっと正確に言えば、前記光から信号を処理することによって得られる電子信号は、前記基準信号（光学的にフィルターにかけられていない光出力信号）の働きをする。
【００２０】
したがって、この変型例において、前記せん断応力差信号はレール接触部内で求められるのではなく、前記マイクロコントローラにおいて、前記２つのレール接触部の前記光電子部品によって処理される信号から求められる。それゆえ、電気信号の差が実現される。
【００２１】
前記センサーファイバーにおいて反射された光出力の時間的強度プロファイルから基準信号を検出し、前記基準信号は前記光電子部品によってフィルターにかけられず、前記せん断応力信号は、フィルターにかけられた信号の基準信号に対する比率から求められることは特に有利である。照射された光出力からの独立はこのように達成される。
【００２２】
故障を検出するために、前記基準信号が第３制限値（第３制限値＝上限値）を超えているかどうか、又は第３制限値（第３制限値＝下限値）を下回っているかどうかを確認することができる。後者の変型例、すなわち、前記基準信号が所定の第３制限値を下回ると故障が検出されるのが好ましい。したがって、前記車軸計数方法は、「スタンバイ光原理」（スタンバイ電流原理に類似する）に従って実行するのが好ましい。これは、スタンバイ動作において、前記ファイバー・ブラッグ・グレーティングによって反射された信号が連続して検出されることを意味する。前記光源が故障した場合や、ケーブル（例えば、レール接点と信号処理盤の間の）が切断された場合、前記基準信号は前記所定の制限値を下回り、その結果、簡単な前記光電子部品の故障検出が実現される。このように、診断装置（前記ファイバー・ブラッグ・グレーティングの自己検査機能）を付加することなく、前記信号処理システムの光学部分やガラスファイバー供給ラインや前記センサー自身における想定される故障（前記光源の故障、ケーブルの切断、ソケット位置の汚れ）の検出が可能となる。例えば、前記光源を短時間オフにして検査を実行することができる。また、前記光源の光の強度を調整することも可能である。検出された光が同じように調整されていれば、検査は成功と見なされる。この場合、前記光源をオフにする必要はない。
【００２３】
本発明はまた、本発明による方法の種々の変型例を実行する車軸計数装置に関する。
【００２４】
本発明による第１の車軸計数装置（ＯＥＣ車軸計数器）は、光源と、少なくとも１つの計数部とを備え、各計数部はレールに取り付ける２つのレール接触部を備える。本発明によると、各レール接触部は、第１ブラッグ波長を有する第１ファイバー・ブラッグ・グレーティングと、第２ブラッグ波長を有する第２ファイバー・ブラッグ・グレーティングとを備えるセンサーファイバーを備え、前記ファイバー・ブラッグ・グレーティングは、前記ニュートラルファイバーに対して斜めに前記レールに取り付けられるように設計される。さらに、前記レール接触部は、センサーファイバーの前記２つのファイバー・ブラッグ・グレーティングによって反射された光出力の光学サブトラクションを実行する光電子部品を備え、前記光電子部品は、２つのフィルターエッジを有する波長依存フィルターを備え、前記フィルターエッジはそれぞれ、前記ファイバー・ブラッグ・グレーティングのブラッグ波長のうちの１つの範囲にあって異なる算術符号を有する勾配を有する。
【００２５】
前記フィルターエッジの勾配の絶対値は同じであるのが好ましい。この場合、前記勾配は、前記ブラッグ波長がシフトする範囲において絶対値が同じであれば十分である。
【００２６】
材料を節約するため、１つの計数部の前記２つのレール接触部のファイバー・ブラッグ・グレーティングは、共通のセンサーファイバー内に配置され得る。周波数分離フィルターを用いて個々の前記レール接触部に信号を割り当てることができる。この実施形態を特に材料を節約するように発展させた実施形態において、計数部の前記レール接触部は共通のファイバー・ブラッグ・グレーティングを有する。
【００２７】
本発明による第２の車軸計数装置（ＲＲ車軸計数器）は、光源と、少なくとも１つの計数部とを備え、各計数部は、レールに取り付ける２つのレール接触部を備え、各レール接触部は、互いに離間した２つのセンサー位置において並べて（ｉｎ  ａ  ｒｏｗ）配置される２つのファイバー・ブラッグ・グレーティングを備えるセンサーファイバーを備え、前記ファイバー・ブラッグ・グレーティングは、前記ニュートラルファイバーに対して斜めに前記レールに取り付けられるように設計され、前記２つのファイバー・ブラッグ・グレーティングのブラッグ波長と、前記２つのセンサー位置間の距離とは、前記レールが前記２つのセンサー位置間において所定の負荷を受けた時に前記２つのファイバー・ブラッグ・グレーティングの反射スペクトルが重なるように選択される。さらに、前記ファイバー・ブラッグ・グレーティングによって反射された光を検出し、次いで処理する信号処理装置が設けられる。
【００２８】
前記２つのファイバー・ブラッグ・グレーティングのブラッグ波長と、前記２つのセンサー位置間の距離（すなわち、前記２つのファイバー・ブラッグ・グレーティングの同一部分間の距離）は、前記センサー位置に所定の負荷がかかっている間、前記ファイバー・ブラッグ・グレーティングの２つの反射スペクトルが完全に重なるように選択されるのが好ましい。
【００２９】
良好な飽和効果を達成するために、前記ファイバー・ブラッグ・グレーティングの１つは、大きい半値全幅を有する反射ピークを有するべきであり、一方、他方のファイバー・ブラッグ・グレーティングの反射ピークの半値全幅は小さくなければならない。したがって、前記２つのファイバー・ブラッグ・グレーティングの反射ピークの半値全幅は、１〜２桁異なるのが好ましい。この結果、重い列車の場合に、前記反射ピークの完全な超過が防止される。そうでなければ、反射光出力の強度プロファイルにおいて車軸当たり２つのピークが生じることになる。
【００３０】
前記２つのファイバー・ブラッグ・グレーティングのブラッグ波長の差が５ｎｍ以下であり、一方のファイバー・ブラッグ・グレーティングの半値全幅が少なくとも０．０５ｎｍであり、他方のＦＢＧの半値全幅が最大でも５ｎｍであれば特に有利である。無負荷状態において前記２つのＦＢＧの反射ピークが少し重なり、前記第１ファイバー・ブラッグ・グレーティング（前記信号処理装置に面するファイバー・ブラッグ・グレーティング）のブラッグ波長は、前記第２ファイバー・ブラッグ・グレーティング（前記信号処理装置からそれた向きにあるファイバー・ブラッグ・グレーティング）のブラッグ波長よりも大きいのが好ましい。
【００３１】
本発明による第３の車軸計数装置（ＯＥ２車軸計数器）は、光源と、レールに取り付ける２つのレール接触部をそれぞれが備える少なくとも１つの計数部と、を備える。本発明によると、各レール接触部は、ブラッグ波長を有するファイバー・ブラッグ・グレーティングを備えるセンサーファイバーを備え、前記ファイバー・ブラッグ・グレーティングは、前記ニュートラルファイバーに対して斜めに前記レールに取り付けられるように設計される。さらに、各レール接触部は、せん断応力信号を生成する信号処理装置を備え、前記評価部は、フィルターエッジ（光学フィルター）を有する光電子部品を備える。前記車軸計数装置は、前記信号処理装置が発するせん断応力信号の差信号を生成するマイクロコントローラを有する。
【００３２】
前記マイクロコントローラはプログラム可能な部品であり、前記２つのレール接触部の光電子部品によって処理された信号から前記せん断応力信号の差を求める。
【００３３】
本発明による全ての車軸計数器に関して、広帯域光源、例えばスーパールミネッセントダイオードを前記光源として使用するのが好ましい。
【００３４】
提案された本発明による全ての車軸計数装置の場合、前記ファイバー・ブラッグ・グレーティング（すなわち、光伝搬方向における前記ファイバー・ブラッグ・グレーティングの延長部分）が、前記ニュートラルファイバーに対して±３０°〜±６０°、特に±４５°の角度で互いに平行に前記レールに取り付けられるのが最も有利である。前記ファイバー・ブラッグ・グレーティングを斜めに配置することで、ホイールが前記レールに沿って回転する時に前記ファイバー・ブラッグ・グレーティングによって反射された光を検出することによって、前記レールのせん断応力は測定される。したがってこの方法は、ホイールやホイールリムのサイズから独立している。
【００３５】
前記ファイバー・ブラッグ・グレーティングは前記レールの前記ニュートラルファイバーと交差しているのが好ましい。
【００３６】
本発明による前記車軸計数装置の有利な実施形態の場合、前記ファイバー・ブラッグ・グレーティングは、前記レールの熱膨張を補償するコンバータ構造を備えている。前記レールの温度変化から生じる波長の変化の絶対値は、前記コンバータ構造によって制限される。同時に、前記コンバータ構造は、低い車軸負荷も検出できるようにするために、せん断応力の比較的低いひずみレベルを高める役割をする。
【００３７】
前記ファイバー・ブラッグ・グレーティングは、予め張力が加わった状態（プレテンションされた状態）で前記レールに固定されるのが特に有利である。張力がなくなると前記ファイバー・ブラッグ・グレーティングのブラッグ波長は変化するので、このようにして、ファイバー・ブラッグ・グレーティングが前記レールから外れているかどうかを簡単な方法で確認することができる。あるファイバー・ブラッグ・グレーティングが外れた場合、張力がなくなり、このファイバー・ブラッグ・グレーティングのブラッグ波長はそれに応じて変化するので、ファイバー・ブラッグ・グレーティングを予め張力が加わった状態で固定することで、このファイバー・ブラッグ・グレーティングが前記レールから外れているかどうかを検出することができる。その結果、永久的なホイール信号が発せられる。張力を予め加えることは、前記ファイバー・ブラッグ・グレーティングを前記レールに取り付ける前に機械的に実現してもよいし、又は、ブラケットを用いて、このブラケットを予め張力が加わった状態で前記レールに固定する間に熱的に実現してもよい。
【００３８】
前記ＦＢＧを前記レールに取り付ける際に予め加える張力を調節するために、トリミング装置を設けるのが特に有利である。
【００３９】
前記信号処理装置は光ファイバー・ビーム・スプリッタを備えるのが好ましい。前記ビームスプリッタは、エッジフィルターにかけられた信号に加えて、第２フォトダイオードを用いて基準信号を拾い取る目的を果たす。
【００４０】
本発明のさらなる利点は、本明細書と図面から明らかになるであろう。本発明によると、上記の特徴と、以下にさらに詳細に説明する特徴はそれぞれ、個々に、又は任意の組み合わせで集合的に使用することもできる。図示及び説明する実施形態は、全てを網羅したものであると考えるべきではなく、一例として本発明を説明する性質のものである。
【図面の簡単な説明】
【００４１】
【図１】ＥＯＣコンセプトによる、本発明による車軸計数装置のレール接触部の概略構造を示す。
【図２】図１におけるレール接触部が受信した光信号の処理についてのブロック配線図である（ＥＯＣコンセプト）。
【図３】フィルターエッジに対する反射ピークのプロファイルを示す（ＥＯＣコンセプト）。
【図４】ＯＥＣコンセプトによる、フォトダイオードによって検出された差信号の光電流、及び、個々のファイバー・ブラッグ・グレーティングに割り当てられた検出された光電流の一部の時間的プロファイルを示す。
【図５】ＲＲコンセプトによる、本発明による車軸計数装置のレール接触部の概略構造を示す。
【図６】図５におけるレール接触部の１つが受信した光信号の処理についてのブロック配線図である（ＲＲコンセプト）。
【図７ａ】無負荷状態及び負荷状態における反射ピークの配置を示す。
【図７ｂ】無負荷状態及び負荷状態における反射ピークの配置を示す。
【図８】ＲＲコンセプトによる差信号の時間的プロファイルを示す。
【図９】ＥＯ２コンセプトによる、本発明による車軸計数装置の２つのレール接触部の概略構造を示す。
【図１０】図９による２つのレール接触部が受信した信号の処理についてのブロック配線図である（ＯＥ２コンセプト）。
【図１１】レールの無負荷状態における、フィルターエッジに対する反射ピークの配置を示す。
【図１２】（ａ）は、ＯＥ２コンセプトによる２つのレール接触部のせん断応力信号の時間的プロファイルを示す。（ｂ）は、ＯＥ２コンセプトによる差信号の時間的プロファイルを示す。
【図１３ａ】別個のセンサーファイバーを備えた、ＯＥＣコンセプト及びＲＲコンセプトによる、レールに固定された２つのレール接触部のファイバー・ブラッグ・グレーティングを示す。
【図１３ｂ】共通のセンサーファイバーを備えた、ＯＥＣコンセプト及びＲＲコンセプトによる、レールに固定された２つのレール接触部のファイバー・ブラッグ・グレーティングを示す。
【図１３ｃ】ＯＥ２コンセプトによる、レールに固定された２つのレール接触部のファイバー・ブラッグ・グレーティングを示す。
【図１４】図１３ａ〜図１３ｃによる、レールに固定されたファイバー・ブラッグ・グレーティングを備えたレールの断面である。
【図１５】本発明による車軸計数装置の全体構造を示す。
【発明を実施するための形態】
【００４２】
図１は、ＥＯＣコンセプトによる、本発明による車軸計数装置のレール接触部ＳＫ１の構造を示す。レール接触部ＳＫ１は２つのファイバー・ブラッグ・グレーティングＦＢＧ１、ＦＢＧ２を有するセンサーファイバーＳＦを備え、ファイバー・ブラッグ・グレーティングＦＢＧ１、ＦＢＧ２は互いに離間しており、ブラケットＴに予め組み付けて、レールＳに任意の向きに簡単に取り付けられるようにするのが好ましい（図１３ａ、図１３ｂ参照）。ファイバー・ブラッグ・グレーティングＦＢＧ１、ＦＢＧ２は、異なるブラッグ波長λ１、λ２を有し、そのため対応するブラッグ波長λ１、λ２の光を反射する。光源Ｌによって、光がセンサーファイバーＳＦに導入される。ファイバー・ブラッグ・グレーティングＦＢＧ１、ＦＢＧ２によって反射された光は、ファイバー結合器ＦＫによって光電子部品ＯＥＣに伝送され、この光電子部品内で反射光は処理される。この場合、光電子部品ＯＥＣと光源Ｌは、信号処理装置ＳＶの一部である。
【００４３】
図２は、信号処理装置ＳＶにおける反射光のその後の処理方法を示す。反射光はセンサーファイバーＳＦから光電子部品ＯＥＣに伝送され、そこにおいてビームスプリッタＳＴによって光が分岐される。第１チャネルにおいて、反射光は波長フィルターＦによってフィルターにかけられ、第１フォトダイオードＰＤ１によって電気差信号ＳＤとして検出される。第２チャネルにおいて、反射光はそのまま第２フォトダイオードＰＤ２に伝送され、そこで基準信号ＳＲとして検出される。ここで、基準信号ＳＲは全反射光出力に比例する。本発明によると、波長フィルターＦは２つのフィルターエッジＫ１、Ｋ２を有し、この２つのフィルターエッジＫ１、Ｋ２は、異なる算術符号を有する勾配を有する。算術符号が異なるため、２つのファイバー・ブラッグ・グレーティングＦＢＧ１、ＦＢＧ２のブラッグ波長λ１、λ２のシフト、例えば大きい波長へのシフトは、評価が異なる。これはすなわち、第１ファイバー・ブラッグ・グレーティングＦＢＧ１の場合は検出された光出力が増加し、他方のファイバー・ブラッグ・グレーティングＦＢＧ２の場合は検出された光出力が減少するためである。
【００４４】
トランスインピーダンス増幅器Ｖ１、Ｖ２は、差信号ＳＤ及び基準信号ＳＲをストレス信号に変換する。該ストレス信号はそれから続けて処理することができる（例えば、低域フィルタリングによって）。測定した実際の変数を求めるために、差信号ＳＤと基準信号ＳＲの比率が与えられる。このように経路の中立性が実現され、減衰効果から独立した測定が可能となる。このように、生成された信号は軸重に比例し、別個に解析することができる。比較器を使用して、アナログ信号をデジタルホイール信号（ホイールパルスＲＩ１）に変換することができる。
【００４５】
図３はファイバー・ブラッグ・グレーティングＦＢＧ１、ＦＧ２の反射ピークＰ１、Ｐ２に対する、フィルターエッジＫ１、Ｋ２の想定されるプロファイルを示す。示した図において、２つのフィルターエッジＫ１、Ｋ２は同じ絶対値の勾配を有するが、異なる方向に傾いている（算術符号が異なる）。ファイバー・ブラッグ・グレーティングＦＢＧ１、ＦＢＧ２の反射ピークＰ１、Ｐ２は、フィルターエッジＫ１、Ｋ２と対称を成すように選択される。フィルターエッジＫ１、Ｋ２が反射ピークＰ１、Ｐ２を通って延びることで、反射ピークの大きい波長や小さい波長へのシフトが光度の変化につながり、第１反射ピークＰ１の大きい波長へのシフトが光度の増加を引き起こし、一方、第２反射ピークＰ２の大きい波長へのシフトが光度の減少を引き起こす。
【００４６】
図４は、差信号ＳＤのプロファイル（実線曲線）と、いずれの場合も差信号からのファイバー・ブラッグ・グレーティングＦＢＧ１、ＦＢＧ２によって反射された光の一部のプロファイル（ＦＢＧ１：鎖線曲線、ＦＢＧ２：点線曲線）の図である。図示された例において、第１ファイバー・ブラッグ・グレーティングは、接近する負荷によって圧縮され、第１ファイバー・ブラッグ・グレーティングＦＢＧ１のブラッグ波長λ１は大きい波長へ、すなわち、立ち上がるフィルターエッジＫ１に沿ってシフトする。光出力の強度の増加は、この結果生じる。負荷が第１ファイバー・ブラッグ・グレーティングＦＢＧ１を越えて第２ファイバー・ブラッグ・グレーティングＦＢＧ２に向かって移動すると、第１ファイバー・ブラッグ・グレーティングＦＢＧ１は伸張し、そのため第１ファイバー・ブラッグ・グレーティングＦＢＧ１のブラッグ波長λ１は小さい波長へと（下がるフィルターエッジＫ１に沿って）シフトし、その一方、第２ファイバー・ブラッグ・グレーティングＦＢＧ２は圧縮され、そのため第２ファイバー・ブラッグ・グレーティングＦＢＧ２のブラッグ波長λ２は大きい波長へと（下がるフィルターエッジＫ２に沿って）シフトする。これにより、図４に示すプロファイルの差信号ＳＤが生じる。差信号ＳＤが所定の制限値Ｇを下回ると、ホイールパルスＲＩ１が検出される。
【００４７】
図５は、ＲＲコンセプトによる車軸計数装置のレール接触部ＳＫ１の構造を示す。レール接触部ＳＫ１は、２つのファイバー・ブラッグ・グレーティングＦＢＧ１、ＦＢＧ２を有するセンサーファイバーＳＦを備え、ファイバー・ブラッグ・グレーティングＦＢＧ１、ＦＢＧ２は互いに離間しており、ブラケットＴに予め組み付けて、レールＳに任意の向きに簡単に取り付けられるようにするのが好ましい（図１３ａ、図１３ｂ参照）。ファイバー・ブラッグ・グレーティングＦＢＧ１、ＦＢＧ２は異なるブラッグ波長λ１、λ２を有し、そのため、対応するブラッグ波長λ１、λ２の光を反射する。光源Ｌによって、光がセンサーファイバーＳＦに導入される。ファイバー・ブラッグ・グレーティングＦＢＧ１、ＦＢＧ２によって反射された光は、信号処理装置ＳＶに伝送され、そこで反射光は処理される。この場合、光源Ｌは信号処理装置ＳＶの一部である。
【００４８】
図６は、信号処理装置ＳＶにおける反射光のその後の処理方法を示す。反射光はフォトダイオードＰＤによって電気差信号ＳＤとして検出される。２つのファイバー・ブラッグ・グレーティングＦＢＧ１、ＦＢＧ２のブラッグ波長λ１、λ２のシフト。トランスインピーダンス増幅器Ｖによって、差信号ＳＤはストレス信号に変換される。該ストレス信号はそれから続けて処理することができる（例えば、低域フィルタリングによって）。アナログ信号はその後、比較器を使用してデジタルホイール信号（ホイールパルスＲＩ１）に変換することができる。
【００４９】
図７ａ、図７ｂは、無負荷状態（図７ａ）及び負荷状態（図７ｂ）における２つのファイバー・ブラッグ・グレーティングＦＢＧ１、ＦＢＧ２の反射ピークＰ１、Ｐ２の特に有利な例を示す。反射ピークＰ１、Ｐ２は異なる半値全幅ＦＷＨＭを有する。無負荷状態において、反射ピークＰ１、Ｐ２は図示された例でわずかに重なっており、これによって、反射ピークＰ１、Ｐ２が重なることで反射光の帯域幅は減少するので、反射ピークの大きい波長や小さい波長へ反射ピークがシフトすると光度が変化し、反射ピークＰ１、Ｐ２が互いから離れてシフトすると光度が増加し、一方、反射ピークＰ１、Ｐ２が互いに向かってシフトすると光度が減少するようになっている。第２ファイバー・ブラッグ・グレーティングＦＢＧ２によって反射される光の一部はすでに第１ファイバー・ブラッグ・グレーティングＦＢＧ１によって反射されているため、第２ファイバー・ブラッグ・グレーティングＦＢＧ２には届かず、その結果、第２ファイバー・ブラッグ・グレーティングＦＢＧ２によって反射され得ないため、差信号ＳＤは反射ピークＰ１、Ｐ２の重なりによって生成される。
【００５０】
図８は差信号ＳＤのプロファイルの図である。図示された例において、第１ファイバー・ブラッグ・グレーティングは、接近する負荷のために圧縮され、第１ファイバー・ブラッグ・グレーティングＦＢＧ１の第１反射ピークＰ１は大きい波長へ、すなわち、第２反射ピークＰ２に向かってシフトする。この結果、反射ピークＰ１、Ｐ２の重なりが増え、光出力の強度の減少につながる。負荷が第１ファイバー・ブラッグ・グレーティングＦＢＧ１を越えて第２ファイバー・ブラッグ・グレーティングＦＢＧ２に向かって移動すると、第１ファイバー・ブラッグ・グレーティングＦＢＧ１は伸張し、第１ファイバー・ブラッグ・グレーティングＦＢＧ１のブラッグ波長λ１と、したがって、第１反射ピークＰ１とは、小さい波長へシフトし、一方、第２ファイバー・ブラッグ・グレーティングＦＢＧ２は圧縮され、そのため第２ファイバー・ブラッグ・グレーティングＦＢＧ２の第２反射ピークＰ２は大きい波長へシフトする。したがって、反射ピークＰ１、Ｐ２は互いに離れる。この結果、反射ピークＰ１、Ｐ２の重なりが減少し、光出力の強度の急速な増加につながる。この結果、図８に示す差信号ＳＤのプロファイルが生じる。差信号ＳＤが所定の制限値Ｇを超えた場合、ホイールパルスＲＩ１が検出される。
【００５１】
図９は、ＥＯ２コンセプトによる、本発明による車軸計数装置の２つのレール接触部ＳＫ１、ＳＫ２の構造を示す。レール接触部ＳＫ１、ＳＫ２はそれぞれ、１つのファイバー・ブラッグ・グレーティングＦＢＧ１、ＦＢＧ２を有する１つのセンサーファイバーＳＦを備える。２つのレール接触部ＳＫ１、ＳＫ２のファイバー・ブラッグ・グレーティングＦＢＧ１、ＦＢＧ２は、ブラッグ波長λ１、λ２を有し、したがって、対応するブラッグ波長λ１、λ２の光を反射する。この変型例では、ブラッグ波長λ１、λ２を同一にできる。いずれの場合も、光源Ｌによって光がセンサーファイバーＳＦに導入される。しかしながら、原則的には、２つのセンサーファイバーＳＦに光を供給する光源をただ１つ設けることができる。ファイバー・ブラッグ・グレーティングＦＢＧ１、ＦＢＧ２によって反射された光は、ファイバー結合器ＦＫによって各レール接触部ＳＫ１、ＳＫ２内の光電子部品ＯＥＣに伝送され、この光電子部品で反射光は処理される。この場合、光電子部品ＯＥＣと光源Ｌは、信号処理装置ＳＶの一部である。光電子部品ＯＥＣは検出信号を電流に変換し、該電流を処理し、その後マイクロコントローラＭＣに伝導し、そこで差信号が生成される。マイクロコントローラＭＣ内において、閾値を設定することで差信号からデジタル信号を生成し、このデジタル信号をホイールパルスとして発する。
【００５２】
図１０は、信号処理装置ＳＶにおける反射光のその後の処理方法を示す。２つのセンサーファイバーＳＦで反射された光は、センサーファイバーＳＦから光電子部品ＯＥＣに伝送され、ここでビームスプリッタＳＴによって光が分岐される。いずれの場合も、反射光は、第１チャネル内において、フィルターエッジＫを有する波長フィルターＦによってフィルターにかけられ、第１フォトダイオードＰＤ１によってせん断応力信号Ｓ１、Ｓ２として検出される。いずれの場合も、反射光はそのまま第２チャネル内の第２フォトダイオードＰＤ２に伝送され、そこで基準信号ＳＲ１、ＳＲ２として検出される。ここで、基準信号ＳＲ１、ＳＲ２は対応するセンサーファイバーＳＦ１、ＳＦ２で反射される全光出力に比例する。トランスインピーダンス増幅器Ｖ１、Ｖ２は、せん断応力信号Ｓ１、Ｓ２と基準信号ＳＲ１、ＳＲ２とをストレス信号に変換する。該ストレス信号は、それから続けて処理することができる（例えば、低域フィルタリングによって）。続けて処理される実際の信号を求めるために、差信号ＳＤと基準信号ＳＲとの比率が与えられる。これらの比率信号は次に、マイクロコントローラＭＣに送信され、マイクロコントローラＭＣは電気信号を引き算することで差信号を生成する。
【００５３】
図１１は、第１ファイバー・ブラッグ・グレーティングＦＢＧ１の第１反射ピークＰ１に対する、第１フィルターエッジＫの想定されるプロファイルを示す。フィルターエッジＫは反射ピークＰ１を通って延び、これによって、反射ピークの大きい波長や小さい波長へ反射ピークがシフトすると光度が変化し、第１反射ピークＰ１が大きい波長へとシフトすると光度が減少し、一方、第１反射ピークＰ１が小さい波長へとシフトすると光度が増加するようになっている。第２ファイバー・ブラッグ・グレーティングＦＢＧ２の第２反射ピークＰ２に対する第２フィルターエッジＫのプロファイルは、同様であるのが好ましい。
【００５４】
図１２において、（ａ）は、ＯＥ２コンセプトによる２つのレール接触部のせん断応力信号の時間的プロファイルを示す。
【００５５】
２つのせん断応力プロファイルに差異が生じる場合、図１２の（ｂ）に示すように、２つのセンサー間で、ホイールによるレールへの負荷伝達が正確に行われる時、この差異は最大になる。
【００５６】
図１３ａ、図１３ｂは、ＯＥＣコンセプト及びＲＲコンセプトによる２つのレール接触部ＳＫ１、ＳＫ２の、レールＳに固定されたファイバー・ブラッグ・グレーティングＦＢＧ１、ＦＢＧ２を示す。第１ファイバー・ブラッグ・グレーティングＦＢＧ１と第２ファイバー・ブラッグ・グレーティングＦＢＧ２とはそれぞれ、レールの方向に互いに離間した２つのセンサー位置ＳＳ１、ＳＳ３においてブラケットＴに共に配置され、ブラケットは予め張力が加わった状態でレールＳに取り付けられる。図１３ａにおいて、各レール接触部ＳＫ１、ＳＫ２に別個のセンサーファイバーＳＦが設けられ、このセンサーファイバーに第１ファイバー・ブラッグ・グレーティングＦＢＧ１と第２ファイバー・ブラッグ・グレーティングＦＢＧ２とが書き込まれる。この２つのファイバー・ブラッグ・グレーティングＦＢＧ１、ＦＢＧ２は互いに離間している。図１３ｂは他の実施形態を示し、ここで、２つのレール接触部ＳＫ１、ＳＫ２のファイバー・ブラッグ・グレーティングＦＢＧ１、ＦＢＧ２は、１つのセンサーファイバーＳＦの一部である。周波数分離フィルターＦＷによって、信号は、対応するレール接触部ＳＫ１、ＳＫ２の信号処理装置ＳＶに送信される。しかしながら、この目的のため、４つのファイバー・ブラッグ・グレーティングＦＢＧ１、ＦＢＧ２は、異なるブラッグ波長を有さざるを得ない。
【００５７】
図１３ｃは、ＯＥ２コンセプトによる、レールに固定された２つのレール接触部のファイバー・ブラッグ・グレーティングを示す。各ファイバー・ブラッグ・グレーティングＦＢＧ１、ＦＢＧ２は、いずれの場合も、ブラケットＴに予め組み付けられており、それ自身のセンサーファイバーＳＦ１、ＳＦ２に書き込まれる。
【００５８】
図１３ａ及び図１３ｃにおいて、ファイバー・ブラッグ・グレーティングＦＢＧ１、ＦＢＧ２は、ニュートラルファイバーＮＦに対して４５°の角度でレールに固定されている。一方、図１３ｂは、ファイバー・ブラッグ・グレーティングＦＧ１、ＦＢＧ２がニュートラルファイバーＮＦに対して−４５°の角度でレールに固定される実施形態を示す。ここに説明した３つのコンセプト全てに関し、この２つの取り付けの選択が可能である。一方の図１３ａ、図１３ｃと、他方の図１３ｂのファイバー・ブラッグ・グレーティングＦＢＧ１、ＦＢＧ２の向きの違いにより、算術符号が異なるせん断応力信号と差信号が発せられるという効果がある。ホイール信号が最低値として発せられるように向きを選択するのが好ましい。２つのファイバー・ブラッグ・グレーティングは、互いに約１５０ｍｍの間隔をあけて配置するのが好ましい。２つのセンサー素子が互いに十分接近した位置にあれば（１５０ｍｍよりも近いのが好ましい）、ファイバー・ブラッグ・グレーティングの温度挙動の変化が起こらないように両者とも同じ温度下にある。レールヘッドに力が横方向にかかることによるレールのねじれも、このように補償することができる。
【００５９】
図１４はレールＳの断面であって、図１３ａ〜図１３ｃによる、ブラケットＴによってレールＳに取り付けられたファイバー・ブラッグ・グレーティングを有する。
【００６０】
図１５は、本発明による車軸計数装置の全体構造を示す。図示された車軸計数装置は、それぞれ２つのレール接触部ＳＫ１、ＳＫ２を有する２つの計数部ＺＰを備え、各レール接触部ＳＫ１、ＳＫ２は、各計数部内の計数装置に送信されるホイールパルスＲＩ１、ＲＩ２を生成する。移動方向は、ホイールパルスＲＩ１、ＲＩ２を使用して各計数部内で特定することができる。検出された情報（ホイールパルスＲＩ１、ＲＩ２、移動方向）は評価部ＡＣＥに送信される。
【符号の説明】
【００６１】
ＡＣＥ  評価部
Ｆ  波長フィルター
ＦＢＧ１、ＦＢＧ２  ファイバー・ブラッグ・グレーティング
ＦＫ  ファイバー結合器
ＦＷ  周波数分離フィルター
ＦＷＨＭ  半値全幅
Ｇ  制限値
Ｋ、Ｋ１、Ｋ２  フィルターエッジ
Ｌ  光源
ＭＣ  マイクロコントローラ
ＮＦ  ニュートラルファイバー
ＯＥＣ  光電子部品
Ｐ１、Ｐ２  反射ピーク
ＰＤ、ＰＤ１、ＰＤ２  フォトダイオード
ＲＩ１、ＲＩ２  ホイールパルス
ＳＫ１、ＳＫ２  レール接触部
Ｓ  レール
ＳＦ  センサーファイバー
ＳＳ１、ＳＳ２  センサー位置
ＳＴ  ビームスプリッタ
ＳＶ  信号処理装置
ＳＤ  差信号
ＳＲ、ＳＲ１、ＳＲ２  基準信号
Ｓ１、Ｓ２  せん断応力信号
Ｔ  ブラケット
Ｖ、Ｖ１、Ｖ２  トランスインピーダンス増幅器
ＺＰ  計数部
λ１、λ２  ブラッグ波長
【図１】
0006719480.tif 000002
【図２】
0006719480.tif 000003
【図３】
0006719480.tif 000004
【図４】
0006719480.tif 000005
【図５】
0006719480.tif 000006
【図６】
0006719480.tif 000007
【図７ａ】
0006719480.tif 000008
【図７ｂ】
0006719480.tif 000009
【図８】
0006719480.tif 000010
【図９】
0006719480.tif 000011
【図１０】
0006719480.tif 000012
【図１１】
0006719480.tif 000013
【図１２】
0006719480.tif 000014
【図１３ａ】
0006719480.tif 000015
【図１３ｂ】
0006719480.tif 000016
【図１３ｃ】
0006719480.tif 000017
【図１４】
0006719480.tif 000018
【図１５】
0006719480.tif 000019